(57)【要約】ロボット手術システムは、ロボットアームと、ユーザインターフェースと、を備える。ロボットアームは、間に顎角度を画定する対向する顎部材を含む顎アセンブリを支持する。ユーザインターフェースは、ハンドルアセンブリを含み、ハンドルアセンブリは、本体部分と、本体部分内に配置されたハンドルコントローラと、本体部分に対して移動可能な第１のアクチュエータの開放角度を変更する第１のアクチュエータと、を有する。第１のアクチュエータは、開放角度の関数としての第１のアクチュエータを移動させるために必要とされる力である力プロファイルを有し、顎アセンブリは、開放角度の関数としての顎角度である顎角度プロファイルを有する。【選択図】図４
2020521562.tif 000002
【特許請求の範囲】
【請求項１】
ロボット手術システムであって、
顎アセンブリを支持するロボットアームであって、前記顎アセンブリが、間に顎角度を画定する対向する顎部材を含む、ロボットアームと、
ハンドルアセンブリを含むユーザインターフェースとを備え、前記ハンドルアセンブリが、
本体部分、
前記本体部分内に配置されたハンドルコントローラ、および
第１のアクチュエータの開放角度を変更するために前記本体部分に対して移動可能な第１のアクチュエータを含み、前記第１のアクチュエータが、前記開放角度の関数としての前記第１のアクチュエータを移動させるために必要とされる力である力プロファイルを有し、前記顎アセンブリが、前記開放角度の関数としての前記顎角度である顎角度プロファイルを有する、ロボット手術システム。
【請求項２】
前記顎角度プロファイルが、顎角度曲線を画定し、前記ハンドルコントローラのマイクロコントローラが、前記第１のアクチュエータの前記開放角度を前記ロボットアームに送信して、前記顎角度曲線に基づいて、前記顎部材の前記顎角度における変更をもたらすように構成されている、請求項１に記載のロボット手術システム。
【請求項３】
前記顎角度曲線が、線形である、請求項２に記載のロボット手術システム。
【請求項４】
前記第１のアクチュエータの前記開放角度が減少するにつれて、前記顎部材の前記顎角度が減少する、請求項３に記載のロボット手術システム。
【請求項５】
前記力プロファイルが、力曲線を画定し、前記ハンドルコントローラのマイクロコントローラが、前記第１のアクチュエータの前記開放角度を記録し、前記ハンドルコントローラのモータの動作パラメータを調節して、前記力曲線に基づいて、前記第１のアクチュエータを作動させるために必要とされる前記力における変更をもたらすように構成されている、請求項１に記載のロボット手術システム。
【請求項６】
前記力曲線の一部は、前記開放角度が減少するにつれて前記力が増加する負の勾配を有する、請求項５に記載のロボット手術システム。
【請求項７】
前記力曲線の一部が、前記第１のアクチュエータの所定の開放角度で正から負の勾配遷移点を有し、前記モータが、前記所定の開放角度で前記第１のアクチュエータを維持するためのトルクを生成する、請求項５に記載のロボット手術システム。
【請求項８】
前記第１のアクチュエータは、前記開放角度が第１の開放角度である開放位置と、前記開放角度が前記第１の開放角度よりも小さい第２の開放角度である閉鎖位置と、を有し、前記力プロファイルが、第１の開放角度と、前記第１の開放角度よりも小さく、かつ前記第２の開放角度よりも大きい第３の開放角度との間に画定された第１の領域を有する、請求項１に記載のロボット手術システム。
【請求項９】
前記顎部材が、完全開放位置および完全閉鎖位置を有し、前記顎部材は、前記第１のアクチュエータの前記開放角度が前記第１の開放角度にあるときに前記完全開放位置に配置され、前記第１のアクチュエータの前記開放角度が前記第３の開放角度にあるときに前記完全閉鎖位置に配置される、請求項８に記載のロボット手術システム。
【請求項１０】
前記力プロファイルが、前記第２の開放角度と前記第３の開放角度との間に画定された第２の領域を有し、前記顎部材は、前記第１のアクチュエータの前記開放角度が前記第２の開放角度と前記第３の開放角度との間にあるときに過閉鎖位置に配置される、請求項９に記載のロボット手術システム。
【請求項１１】
前記力プロファイルは、前記第１のアクチュエータの前記開放角度が前記第１の開放角度よりも大きい第３の領域を有し、前記顎部材は、前記第１のアクチュエータの前記開放角度が前記第１の開放角度よりも大きいときに過開放位置に配置される、請求項１０に記載のロボット手術システム。
【請求項１２】
前記力プロファイルの前記第１の領域は、線形であり、前記開放角度が前記第１の領域において減少するにつれて前記力が増加するような第１の負の勾配を有する、請求項１１に記載のロボット手術システム。
【請求項１３】
前記力プロファイルの前記第２の領域が、線形であり、前記第１の負の勾配よりも大きい第２の負の勾配を有する、請求項１２に記載のロボット手術システム。
【請求項１４】
前記力プロファイルの前記第３の領域は、線形であり、前記第１の負の勾配よりも大きい第３の負の勾配を有し、力が前記第１のアクチュエータに加えられないとき、前記第１のアクチュエータは、前記第１の開放角度に向かって付勢される、請求項１３に記載のロボット手術システム。
【請求項１５】
前記第１のアクチュエータが所定の開放角度に移動されるとき、前記ハンドルコントローラの前記モータがトルクを生成して、前記第１のアクチュエータを前記所定の開放角度で維持するように、前記第２の領域は、前記第１のアクチュエータの前記所定の開放角度におけるトルク遷移点を含む、請求項１３に記載のロボット手術システム。
【請求項１６】
前記力プロファイルの前記第１の領域が、非線形である、請求項１１に記載のロボット手術システム。
【請求項１７】
前記第１のアクチュエータが所定の開放角度に移動されるとき、前記ハンドルコントローラの前記モータがトルクを生成して、前記第１のアクチュエータを前記所定の開放角度で維持するように、前記力プロファイルの前記第１の領域は、前記第１のアクチュエータの前記所定の開放角度における正から負のトルク遷移点を含む、請求項１６に記載のロボット手術システム。
【発明の詳細な説明】
【背景技術】
【０００１】
ロボット手術システムは、低侵襲医療処置で使用されている。そのような医療処置の間、ロボット手術システムは、ユーザインターフェースとインターフェースする外科医によって制御される。ユーザインターフェースは、外科医が、患者に作用するロボットシステムのエンドエフェクタを操作することを可能にする。ユーザインターフェースは、外科医がロボット手術システムを制御するために移動可能なハンドルアセンブリを有する制御アームアセンブリを含む。
【０００２】
ロボットシステムのエンドエフェクタを制御するための改善されたハンドルアセンブリに対する必要性が存在する。
【発明の概要】
【発明が解決しようとする課題】
【０００３】
本開示は、概して、臨床医が外科処置中にロボット手術システムのロボットシステムのエンドエフェクタを制御することを可能にするように構成された指コントローラアクチュエータを含むロボット手術システムのユーザインターフェースのハンドルアセンブリに関する。
【課題を解決するための手段】
【０００４】
本開示の一態様では、ロボット手術システムは、ロボットアームと、ユーザインターフェースと、を含む。ロボットアームは、間に顎角度を画定する対向する顎部材を含む顎アセンブリを支持する。ユーザインターフェースは、ハンドルアセンブリを含み、ハンドルアセンブリは、本体部分と、本体部分内に配置されたハンドルコントローラと、本体部分に対して移動可能な第１のアクチュエータの開放角度を変更する第１のアクチュエータと、を有する。第１のアクチュエータは、開放角度の関数としての第１のアクチュエータを移動させるために必要とされる力である力プロファイルを有し、顎アセンブリは、開放角度の関数としての顎角度である顎角度プロファイルを有する。
【０００５】
態様において、顎角度プロファイルは、顎角度曲線を画定し、ハンドルコントローラのマイクロコントローラは、第１のアクチュエータの開放角度をロボットアームに送信して、顎角度曲線に基づいて、顎部材の顎角度における変更をもたらすように構成されている。顎角度曲線は、例えば、第１のアクチュエータの開放角度が減少するにつれて、顎部材の顎角度は減少するように、線形であってもよい。
【０００６】
態様において、力プロファイルは、力曲線を画定し、ハンドルコントローラのマイクロコントローラは、第１のアクチュエータの開放角度を記録し、ハンドルコントローラのモータの動作パラメータを調節して、力曲線に基づいて第１のアクチュエータを作動させるために必要とされる力における変更をもたらすように構成されている。いくつかの態様において、力曲線の一部は、開放角度が減少するにつれて力が増加する負の勾配を有する。ある特定の態様において、力曲線の一部は、第１のアクチュエータの所定の開放角度で正から負の勾配遷移点を有し、これによって、モータは、所定の開放角度で第１のアクチュエータを維持するためのトルクを生成する。
【０００７】
第１のアクチュエータは、開放角度が第１の開放角度である開放位置と、開放角度が第１の開放角度よりも小さい第２の開放角度である閉鎖位置とを有してもよい。いくつかの態様において、力プロファイルは、第１の開放角度と、第１の開放角度よりも小さく、かつ第２の開放角度よりも大きい第３の開放角度との間に画定された第１の領域を有する。顎部材は、完全開放位置および完全閉鎖位置を有してもよい。顎部材は、第１のアクチュエータの開放角度が第１の開放角度にあるときに完全開放位置に配置され、第１のアクチュエータの開放角度が第３の開放角度にあるときに完全閉鎖位置に配置されてもよい。
【０００８】
ある特定の態様において、力プロファイルは、第２の開放角度と第３の開放角度との間に画定された第２の領域を有し、顎部材は、第１のアクチュエータの開放角度が第２の開放角度と第３の開放角度との間にあるときに過閉鎖位置に配置される。特定の態様において、力プロファイルは、第１のアクチュエータの開放角度が第１の開放角度よりも大きい第３の領域を有し、顎部材は、第１のアクチュエータの開放角度が第１の開放角度よりも大きいときに過開放位置に配置される。
【０００９】
力プロファイルの第１の領域は、線形であってもよく、開放角度が第１の領域において減少するにつれて力が増加するような第１の負の勾配を有してもよい。いくつかの態様において、力プロファイルの第２の領域は、線形であり、第１の領域の第１の負の勾配よりも大きい第２の負の勾配を有する。ある特定の態様において、力プロファイルの第３の領域は、線形であり、第１の領域の第１の負の勾配よりも大きい第３の負の勾配を有し、力が第１のアクチュエータに加えられないとき、第１のアクチュエータは、第１の開放角度に向かって付勢される。
【００１０】
第１のアクチュエータが所定の開放角度に移動されるとき、ハンドルコントローラのモータがトルクを生成して、第１のアクチュエータを所定の開放角度で維持するように、第２の領域は、第１のアクチュエータの所定の開放角度におけるトルク遷移点を含んでもよい。
【００１１】
力プロファイルの第１の領域は、非線形であってもよい。いくつかの態様において、第１のアクチュエータが所定の開放角度に移動されるとき、ハンドルコントローラのモータがトルクを生成して、第１のアクチュエータを所定の開放角度で維持するように、力プロファイルの第１の領域は、第１のアクチュエータの所定の開放角度における正から負のトルク遷移点を含む。
【００１２】
他の態様、特徴、および利点は、本明細書、図面、および特許請求の範囲から明らかになるであろう。
【図面の簡単な説明】
【００１３】
本開示の様々な態様を、本明細書に組み込まれ、本明細書の一部を構成する図面を参照して本明細書において以下に説明する。
【００１４】
【図１】本開示の一実施形態による、ロボットシステムと、２つの制御アームアセンブリを有するユーザインターフェースと、を含む、ロボット手術システムの概略図である。
【図２】図１のロボット手術システムのユーザインターフェースの制御アームアセンブリのうちの１つのハンドルアセンブリの斜視図であり、臨床医の手が想像線で示されている。
【図３】本開示の実施形態による、図１のロボット手術システムのロボットシステムのツールの斜視図である。
【図４】図２のハンドルアセンブリの上からの斜視図であり、部品が取り除かれている。
【図５】本開示の実施形態による、第１のアクチュエータの開放角度における変更に応答して、図３のツールの顎角度と、図２および図４のハンドルアセンブリの第１のアクチュエータの力と、を示すグラフである。
【図６】本開示の別の実施形態による、第１のアクチュエータの開放角度における変更に応答して、図３のツールの顎角度と、図２および図４のハンドルアセンブリの第１のアクチュエータの力と、を示すグラフである。
【図７】本開示の更に別の実施形態による、第１のアクチュエータの開放角度における変更に応答して、図３のツールの顎角度と、図２および図４のハンドルアセンブリの第１のアクチュエータの力と、を示すグラフである。
【発明を実施するための形態】
【００１５】
ここで本開示の実施形態が図面を参照して詳細に記載され、図面の中で同様の参照番号は、いくつかの図の各々において同一のまたは対応する要素を示す。本明細書に使用される場合、「臨床医」という用語は、医師（例えば、外科医）、看護師、または任意の他の医療提供者を指し、援助要員を含み得る。この説明全体を通して、「近位」という用語は、臨床医により近いシステム、装置、またはその構成要素の一部を指し、「遠位」という用語は、臨床医からより遠いシステム、装置、またはその構成要素の一部を指す。
【００１６】
ここで図１を参照すると、本開示によるロボット手術システム１が示されている。ロボット手術システム１は、ロボットシステム１０と、処理ユニット３０と、操作コンソールまたはユーザインターフェース４０と、を含む。ロボットシステム１０は、概して、リンク機構１２と、ロボットベース１８と、を含む。リンク機構１２は、手術部位「Ｓ」において患者「Ｐ」の組織に作用するように構成されているエンドエフェクタまたはツール２０を移動可能に支持する。リンク機構１２は、アームを形成してもよく、各アーム１２は、ツール２０を支持する端部１４を有する。加えて、各アーム１２の端部１４は、手術部位「Ｓ」を撮像するための撮像装置１６、および／またはアーム１２の端部１４に支持されるかもしくは取り付けられたツール２０（例えば、手術器具の一種）を識別するツール検出システム（図示せず）を含んでもよい。
【００１７】
処理ユニット３０は、ロボットシステム１０とユーザインターフェース４０とを電気的に相互接続して、以下で更に詳細に説明されるように、ユーザインターフェース４０とロボットシステム１０との間で送信および／もしくは受信された信号を処理ならびに／または発信する。
【００１８】
ユーザインターフェース４０は、３次元画像を表示するように構成されている表示装置４４を含む。表示装置４４は、手術部位「Ｓ」の三次元画像を表示し、三次元画像は、アーム１２の端部１４に位置付けられた撮像装置１６によって捕捉されたデータを含み得、および／または手術現場の周りに位置付けられた撮像装置（例えば、手術部位「Ｓ」内に位置付けられた撮像装置、患者「Ｐ」に隣接して位置付けられた撮像装置、撮像アーム５２の遠位端に位置付けられた撮像装置５６）によって捕捉されたデータを含み得る。撮像装置（例えば、撮像装置１６、５６）は、手術部位「Ｓ」の視覚画像、赤外線画像、超音波画像、Ｘ線画像、熱画像、および／または任意の他の既知のリアルタイム画像を捕捉してもよい。撮像装置１６、５６は、捕捉し撮像データを処理ユニット３０に送信し、処理ユニット３０は、撮像データからリアルタイムで手術部位「Ｓ」の３次元画像を作成し、表示のための表示装置４４に３次元画像を送信する。
【００１９】
ユーザインターフェース４０は、臨床医がロボットシステム１０を操作する（例えば、アーム１２、アーム１２の端部１４、および／またはツール２０を移動させる）ことを可能にする制御アームアセンブリ４６を支持する制御アーム４２を含む。制御アームアセンブリ４６は、処理ユニット３０と通信して、処理ユニット３０に制御信号を送信し、処理ユニット３０からフィードバック信号を受信し、次いで、ロボットシステム１０に制御信号を送信し、ロボットシステム１０からフィードバック信号を受信して、ロボットシステム１０の所望の移動を実行する。
【００２０】
各制御アームアセンブリ４６は、制御アーム４２に動作可能に結合されたジンバル１００と、ジンバル１００に動作可能に結合された入力装置またはハンドルアセンブリ２００と、を含む。例示的なジンバルの構造および機能の詳細な説明については、その内容全体が参照により本明細書に組み込まれる、２０１６年６月３日に出願された「ＣＯＮＴＲＯＬ  ＡＲＭ  ＡＳＳＥＭＢＬＩＥＳ  ＦＯＲ  ＲＯＢＯＴＩＣ  ＳＵＲＧＩＣＡＬ  ＳＹＳＴＥＭＳ」と題された、共同所有される米国仮特許出願第６２／３４５，５０５号（「‘５０５出願」）を参照することができる。
【００２１】
ハンドルアセンブリ２００の各々は、「Ｘ」、「Ｙ」、および「Ｚ」軸を有する座標系内の所定の作業空間を通じて移動可能であり、ツール２０、アーム１２、および／またはアーム１２の端部１４を手術部位「Ｓ」内で移動させる。表示装置４４上の３次元画像は、ハンドルアセンブリ２００の移動の結果としてのジンバル１００の移動が、表示装置４４上で見られるようにアーム１２の端部１４を移動させるように配向される。表示装置４４上の３次元画像の配向は、患者「Ｐ」の上方からの視界に対して鏡映または回転させることができることが理解されよう。加えて、表示装置４４上の３次元画像のサイズは、臨床医が手術部位「Ｓ」内の構造をより良好に見えるようにするために、手術部位「Ｓ」の実際の構造よりも大きくまたは小さくスケール変更され得ることが理解されよう。ハンドルアセンブリの移動のスケール変更の詳細な考察については、その内容全体が参照により本明細書に組み込まれる、２０１６年１２月８日に出願された共同所有される国際出願番号ＰＣＴ／ＵＳ１６／６５５８８を参照することができる。
【００２２】
ロボット手術システム１の構成および動作の詳細な考察については、その内容全体が参照により本明細書に組み込まれる米国特許第８，８２８，０２３号を参照することができる。
【００２３】
ここで図２を参照すると、各制御アームアセンブリ４６（図１）のハンドルアセンブリ２００は、本体部分２１０およびグリップ部分２２０を含む。本体部分２１０は、ロボットシステム１０のツール２０（図１）の様々な機能を制御するための複数のアクチュエータ２１４、２１６、２１８を支持するハウジング２１２を含む。図２に示され、配向されるように、第１のアクチュエータ２１４は、ハウジング２１２の外側表面２１２ａに配置され、第２のアクチュエータ２１６は、ハウジング２１２の上面２１２ｂに配置され、第３のアクチュエータ２１８は、ハウジング２１２の底面２１２ｃから延在して、トリガーを形成する。アクチュエータ２１４、２１６、２１８が、任意の適切な構成（例えば、パドル、ボタン、ノブ、トグル、スライド、ロッカーなど）を有することができ、かつハンドルアセンブリ２００の周りのアクチュエータ２１４、２１６、２１８の配置が、変動し得ることを理解されたい。第１のアクチュエータ２１４は、指掛け部２２２と、指掛け部２２２の上方に延在する（臨床医の手「Ｈ」（想像線で示される）の指（例えば、人差し指「Ｉ」）を第１のアクチュエータ２１４に固定するために）ストラップ２２４とを含むパドルの形態で示される。
【００２４】
各ハンドルアセンブリ２００は、臨床医が、ロボットシステム１０のアーム１２の端部１４において支持されたそれぞれのツール２０（図１）を操作（例えば、クランプ、把持、発射、開放、閉鎖、回転、スラスト、スライスなど）することを可能にする。例えば、図３に示されるように、ツール２０は、ツールシャフト２６から延在する対向する顎部材２２、２４を含む顎アセンブリを有し得る。第１のアクチュエータ２１４（図２）は、以下で更に詳細に説明されるように、開放構成と閉鎖構成との間でツール２０の顎部材２２、２４を作動させるように構成され得る。第２のアクチュエータ２１６および第３のアクチュエータ２１８（図２）は、当業者の範囲内である他の機能の中でも、顎部材２２、２４の構成を互いに固定し、顎部材２２、２４をツールシャフト２６に対して回転させ、顎部材２２、２４のうちの１つから締結具（図示せず）を発射し、顎部材２２、２４のうちの１つの内部に配置されたナイフ（図示せず）を作動させ、電気外科エネルギーが顎部材２２、２４を介して組織に送出されるように電気外科エネルギー源を作動させるなどのツール２０の他の機能をもたらすことができる。
【００２５】
図４に示されるように、モータ２３２およびマイクロコントローラ２３４を含むハンドルコントローラ２３０は、ハンドルアセンブリ２００の本体部分２１０内に配置される。ハンドルコントローラ２３０は、第１のアクチュエータ２１４、第２のアクチュエータ２１６、および／または第３のアクチュエータ２１８（図２）の作動により起動される。ハンドルコントローラ２３０は、第１のアクチュエータ２１４、第２のアクチュエータ２１６、および／または第３のアクチュエータ２１８の機械的移動を電気信号に変換し、電気信号は、マイクロコントローラ２３４に発信され、マイクロコントローラ２３４は、次いで、第１のアクチュエータ２１４、第２のアクチュエータ２１６、および／または第３のアクチュエータ２１８の位置移動（例えば、角度位置）を記録する。マイクロコントローラ２３４は、記録された位置移動を処理ユニット３０（図１）に送信し、処理ユニット３０は、次いで、ロボットシステム１０（図１）に電気制御信号を送信して、アーム１２および／またはツール２０（図１）の機能を作動させる。処理ユニット３０はまた、電気信号をハンドルコントローラ２３０に送信し返して、モータ２３２の動作パラメータ（複数可）（例えば、電力、速度、および／またはトルク）を調節し得るか、あるいは、マイクロコントローラ２３４は、第１のアクチュエータ２１４、第２のアクチュエータ２１６、および／または第３のアクチュエータ２１８の位置移動における変化に応答して、モータ２３２の動作パラメータ（複数可）を調節し得る。ロボットシステム１０が、信号を処理ユニット３０に、したがってハンドルコントローラ２３０に発信して、ハンドルアセンブリ２００を操作する臨床医にフィードバックを提供し得ることを理解されたい。
【００２６】
第１のアクチュエータ２１４は、リンク機構アセンブリ２４０、例えば四節リンク機構によってハンドルコントローラ２３０に機械的に結合されている。例示的なアクチュエータおよび四節リンク機構の構造ならびに機能の詳細な考察については、その全内容が参照により以前に組み込まれる‘５０５出願を参照することができる。第１のアクチュエータ２１４は、近位部分２１４ａと、指掛け部２２２を含む遠位部分２１４ｂと、を含む。図４に示されるように、第１のアクチュエータ２１４は、第１のアクチュエータ２１４に力が加えられないときに付勢位置を有し、遠位部分２１４ｂは、ハンドルアセンブリ２００のハウジング２１２の外側表面２１２ａから横方向に延在し、近位部分２１４ａは、外側表面２１２ａと面一であるか、または外側表面２１２ａ内に配置される。
【００２７】
再び図２を参照すると、臨床医の手「Ｈ」の人差し指「Ｉ」（想像線で示される）が、第１のアクチュエータ２１４上に載り、臨床医の手「Ｈ」の手のひら（図示せず）が、ハンドルアセンブリ２００のグリップ部分２２０上に載り、臨床医の手「Ｈ」の親指「Ｔ」および中指「Ｍ」が、それぞれ第２のアクチュエータ２１６および第３のアクチュエータ２１８を自由に作動させるように、臨床医は、ハンドルアセンブリ２００を把持する。臨床医が第１のアクチュエータ２１４の指掛け部２２２を押して指掛け部２２２に力を加えると、第１のアクチュエータ２１４は、閉鎖位置（第１のアクチュエータ２１４の遠位部分２１４ｂ（図４）がハンドルアセンブリ２００の本体部分２１０に向かって移動する）に向かって移動して、ハンドルアセンブリ２００により、第１のアクチュエータ２１４の近位部分２１４ａ（図４）が本体部分２１０から横方向に離れて移動し、上で考察されるように、ハンドルコントローラ２３０によって電子信号に変換されるリンク機構アセンブリ２４０の対応する機械的移動が生じる。臨床医が第１のアクチュエータ２１４から指の力を解放し、かつ／または人差し指「Ｉ」を第１のアクチュエータ２１４から引き離すと、第１のアクチュエータ２１は付勢された開放位置に戻る。
【００２８】
臨床医によって第１のアクチュエータ２１４に加えられる指の力の量は、付勢された開放位置から閉鎖位置に向かって第１のアクチュエータ２１４を移動させて、互いに対して顎部材２２、２４（図３）の位置に影響を及ぼす。実施形態では、第１のアクチュエータ２１４は、付勢位置において、顎部材２２、２４が完全開放位置にあり、かつハンドルコントローラ２３０によって測定される際、第１のアクチュエータ２１４の角度位置または開放角度が約２０°であるように構成されている。力が第１のアクチュエータ２１４に加えられるとき、顎部材２２、２４は、互いに向かって移動して、完全閉鎖位置に到達する。完全閉鎖位置では、第１のアクチュエータ２１４の開放角度は、約５°である。
【００２９】
第１のアクチュエータ２１４の移動は、上述のように臨床医の指の力、ならびにハンドルコントローラ２３０のモータ２３２によって生成されたトルクによって制御される。モータトルクは、臨床医の指に対して第１のアクチュエータ２１４を押すか、または臨床医の指から第１のアクチュエータ２１４を引き抜き、臨床医が、第１のアクチュエータ２１４を逆駆動し、入力装置として使用することを可能にする。具体的には、正のトルクは、第１のアクチュエータ２１４を臨床医の指に向かって押し開き、負のトルクは、第１のアクチュエータ２１４を閉鎖して臨床医の指から引き離す。
【００３０】
図５を特に参照すると、図２および図３と併せて、第１のアクチュエータの開放角度θの関数としての顎アセンブリ２０の顎角度αのグラフが示されている。上で考察され、かつ図５に示されるように、第１のアクチュエータ２１４が約２０°の開放角度θを有するとき、顎部材２２、２４は完全開放し（例えば、互いに対して０°よりも大きい所定の開放角度で配置され）、第１のアクチュエータ２１４が約５°の開放角度θを有するとき、顎部材２２、２４は完全閉鎖される（例えば、互いに対して約０°の角度で配置される）。顎角度曲線は線形であり、これによって、第１のアクチュエータ２１４の開放角度θにおける変更（例えば、臨床医による第１のアクチュエータ２１４の移動に起因する）は、顎アセンブリ２０の顎角度αにおける対応する正比例の変更を生じる。
【００３１】
ただし、顎角度曲線は、原点で横軸と交差しない。むしろ、第１のアクチュエータ２１４の開放角度θが約５°であり、かつ顎部材２２、２４が完全閉鎖位置に配置されている場合、顎角度曲線は横軸と交差する。このような構成は、第１のアクチュエータ２１４が完全に押される前に、顎部材２２、２４が完全閉鎖されることを可能にし、例えば、使用中の臨床医の指の少ない疲労をもたらし、また、開放角度θが０°に近づくにつれて、顎部材２２、２４が過閉鎖することを可能にする（例えば、第１のアクチュエータ２１４が完全に押される）。顎部材２２、２４を過閉鎖することは、例えば、硬い組織の収縮または針の駆動などの堅固な保持を必要とする外科的作業を実行するために所望される顎アセンブリ２０の把持力を増加させる。同様に、開放角度θが２０°超にされるとき、顎部材２２、２４は過開放する場合がある。顎部材２２、２４を過開放することは、例えば、組織切開などの顎部材２２、２４を開放するための追加のトルクを必要とする外科的作業を実行するために所望される顎アセンブリ２０の開放力を増大させる。
【００３２】
第１のアクチュエータ２１４の開放角度θにおける変更に応答して、顎部材２２、２４の異なる挙動を達成するために、顎角度曲線を修正することができることを理解されたい。例えば、顎角度曲線は、例えば、顎部材２２、２４が完全閉鎖位置に近づくにつれて顎部材２２、２４のより良い位置制御を提供するための、第１のアクチュエータ２１４のより小さい開放角度θで１つ以上の浅い勾配と、顎部材２２、２４の開放速度を完全開放位置に向けて増加させるための、第１のアクチュエータ２１４のより大きな開放角度θでの１つ以上のより急な勾配と、を有する非線形曲線であってもよい。別の例として、顎角度曲線は、顎部材２２、２４を完全開放と完全閉鎖との間にある中間位置に保つ保持領域または戻り止めとして作用する１つ以上の平坦領域を含んでもよい。このような顎角度プロファイルは、例えば、臨床医がクリップを保持してクリップを落とすことを回避したい場合のクリップアプライヤーなどのいくつかのツールタイプに有用である。したがって、顎角度曲線の形状は、ロボット手術システム１と共に利用される異なるツールタイプまたは制御モードに対して異なる場合があると考えられる。
【００３３】
引き続き図５を参照すると、第１のアクチュエータ２１４の開放角度θの関数としての第１のアクチュエータ２１４の力Ｆプロファイルも示されている。上で考察されるように、モータ２３２によって生成されたトルクは、力Ｆを発生させ、これに対して、第１のアクチュエータ２１４は、臨床医によって押し付けられて、第１のアクチュエータ２１４の開放角度θ、したがって顎部材２２、２４の間の顎角度αにおける変更をもたらす。力曲線は、それぞれ異なる勾配「Ｓ１」、「Ｓ２」、および「Ｓ３」を有する３つの線形領域「Ｒ１」、「Ｒ２」、および「Ｒ３」を含む。領域「Ｒ１」は、顎部材２２、２４が完全開放位置と完全閉鎖位置との間に配置されている力曲線の一部において画定される。領域「Ｒ１」の勾配「Ｓ１」は負であり、これにより、第１のアクチュエータ２１４を閉鎖するために必要とされる力Ｆが、開放角度θが減少するにつれて増加する。第１のアクチュエータ２１４の開放角度θが約２０°であり、かつ顎部材２２、２４が完全開放位置に配置されている場合、力曲線は横軸と交差する。このような構成は、臨床医の指が第１のアクチュエータ２１４から取り除かれるときに、顎部材２２、２４が、上で詳述した第１のアクチュエータ２１４の付勢位置に対応する完全開放位置まで開放することは可能にするが、過開放することは可能にしない。
【００３４】
領域「Ｒ２」は、顎部材２２、２４が過閉鎖している力曲線の一部において画定され、領域「Ｒ３」は、顎部材２２、２４が過開放している力曲線の一部において画定される。領域「Ｒ２」の勾配「Ｓ２」は、領域「Ｒ１」の勾配「Ｓ１」よりも急であるか、または大きい。したがって、臨床医が第１のアクチュエータ２１４を押して顎部材２２、２４を閉鎖するとき、第１のアクチュエータ２１４が領域「Ｒ２」に近づくにつれて、第１のアクチュエータ２１４を閉鎖するために必要とされる必要な力Ｆは増加し、次いで、第１のアクチュエータ２１４における剛性が増加させ、顎部材２２、２４が過閉鎖領域に入っているか、または入ったという触覚表示を臨床医に提供する。同様に、領域「Ｒ３」の勾配「Ｓ３」は、領域「Ｒ１」の勾配「Ｓ１」よりも急であり、顎部材２２、２４が過開放領域に入っている、または入ったという指示を臨床医に提供する。力Ｆのすべての値は、領域「Ｒ１〜Ｒ３」の各々において負であり、そのため、臨床医の指が第１のアクチュエータ２１４から離れて移動する場合、顎部材２２、２４は、完全開放位置に移動する。
【００３５】
第１のアクチュエータ２１４の開放角度θにおける変更に応答して第１のアクチュエータ２１４の異なる挙動を達成するために、ならびに／または第１のアクチュエータ２１４、および、次いで、顎部材２２、２４の異なる所望の特徴を実装するために、力曲線が修正され得ることを理解されたい。したがって、力曲線の形状は、異なるツールタイプまたは制御モードに対して異なる場合があると考えられる。
【００３６】
例えば、図６に示されるように、力曲線は、それぞれ異なる勾配「Ｓ１」、「Ｓ４」、および「Ｓ３」を有する３つの領域「Ｒ１」、「Ｒ４」、および「Ｒ３」を含む。領域「Ｒ４」は、非線形であり、第１のアクチュエータ２１４の開放角度θが０°に近づくにつれて負である勾配「Ｓ４」を含む。したがって、臨床医が第１のアクチュエータ２１４を押して顎部材２２、２４を過閉鎖し、第１のアクチュエータ２１４の開放角度θに関連付けられたトルク遷移点「Ｔ」に近づくとき、モータ２３２からの負のトルクは、第１のアクチュエータ２１４の開放角度θを閉鎖し、次いで、これは、臨床医の指が第１のアクチュエータ２１４から取り除かれた場合でも、顎部材２２、２４をスナップさせて過閉鎖位置に留まらせる。このような構成は、臨床医が第１のアクチュエータ２１４、したがって顎部材２２、２４を過閉鎖位置に保持するのを補助するために、第１のアクチュエータ２１４を閉鎖位置に保つ。この挙動は、例えば、縫合などの外科的作業を実行する際に臨床医を補助するものであり、これは、ハンドルアセンブリ２００（図１）で複雑かつ器用な操作を実行しながら、顎部材２２、２４の間に針を堅固に保持することを必要とする。臨床医は、人間工学を改善し、疲労を軽減し、ならびに／またはツール２０（図１）の位置および配向の制御を増大することができるこれらの作業中に、第１のアクチュエータ２１４のグリップを緩めることができる。
【００３７】
顎部材２２、２４を開放するために、臨床医は、トルクが正の値に切り替わるまで、モータ２３２の負のトルクに必要以上の動力を与え、かつ第１のアクチュエータ２１４を開放する。これは、例えば、ストラップなどを使用して第１のアクチュエータを引き離すことによって行われ得る。
【００３８】
第１のアクチュエータ２１４の力プロファイルＦは、領域「Ｒ１」および「Ｒ３」において図５に示されるように挙動する。例えば、第１のアクチュエータ２１４の開放角度θが約５°〜２０°であり、顎部材２２、２４が完全開放位置と完全閉鎖位置の間にあるとき、臨床医は、必要に応じて、中間位置（複数可）に顎部材２２、２４を開閉することができる。
【００３９】
別の例として、図７に示されるように、力曲線またはプロファイルは、３つの領域「Ｒ５」、「Ｒ２」、および「Ｒ３」を含む。第１のアクチュエータ２１４の力プロファイルＦは、領域「Ｒ２」および「Ｒ３」において図５に示されるように挙動する。領域「Ｒ５」（例えば、顎部材２２、２４が完全開放位置と完全閉鎖位置の間に配置される力曲線の一部）は、第１のアクチュエータ２１４の対応する開放角度θを保持および維持するように構成されている第１のアクチュエータ２１４の所定の開放角度θ（したがって、顎アセンブリ２０の所定の顎角度α）で画定された複数のトルクウェル「Ｗ」を含む非線形領域である。トルクウェル「Ｗ」は、正から負のトルク遷移点「Ｐ」を画定し、これにより、ハンドルコントローラ２３０のモータ２３２は、第１のアクチュエータ２１４の対応する開放角度θにスナップしてその開放角度θを維持し、これにより、臨床医の指が第１のアクチュエータ２１４から取り除かれたとしても、顎部材２２、２４の対応する顎角度αを維持する。使用中、第１のアクチュエータ２１４は、顎部材２２、２４が所定の顎角度αで保持されていることを臨床医に警告するための触覚指示（例えば、スナップ）を提供する。アクチュエータ２１４を移動させるために、臨床医は、第１のアクチュエータ２１４をトルクウェル「Ｗ」に押し込むまたは第１のアクチュエータ２１４をトルクウェル「Ｗ」から引き抜き、顎部材２２、２４をそれらの全可動域を通して移動させる。
【００４０】
トルクウェル「Ｗ」は、ツール２０の重要な使用場所に対応し得る。例えば、第１のアクチュエータ２１４の運動は、ステープラーブレードの前進にマッピングされ得、トルクウェル「Ｗ」は、移動の所定の増分（例えば、１ｃｍ）を指示する。別の例として、トルクウェル「Ｗ」は、臨床医が把持器を用いて把持力をより正確に制御および維持できるように、把持器に対する様々な開放角度を設定するために使用されてもよい。
【００４１】
上記の実施形態が、パドルの形態の第１のアクチュエータの作動による顎アセンブリの顎角度の制御（例えば、第１のアクチュエータの開放角度の関数としての第１のアクチュエータの力プロファイルを調節すること）に関して説明されている一方で、様々なツールおよび／または他のアクチュエータ構成を利用することができることを理解されたい。例えば、アクチュエータは、マイクロコントローラによって測定された位置移動がアクチュエータの並進位置になるように、（例えば、ボタンまたはスライドの形態で）長手方向に並進可能であってもよい。顎角度および力は、アクチュエータの並進位置における変化に基づいて変化するであろう。別の例として、顎角度以外の関数は、アクチュエータの作動（例えば、ブレードの移動）に応答して、変更されてもよい。処理ユニットおよび／またはハンドルコントローラは、ハンドルアセンブリに関連付けられたツールを識別して、ツールとの使用に所望される顎角度および力曲線プロファイルを実装するように構成され得ることを更に理解されたい。
【００４２】
上記で詳述し、図１に示されるように、ユーザインターフェース４０は、患者「Ｐ」に対して外科処置を実行するためにロボットシステム１０と動作可能に通信している。しかしながら、ユーザインターフェース４０は、シミュレートされた環境でロボットシステムおよび／またはツールを仮想的に作動させるために手術シミュレータ（図示せず）と動作可能に通信し得ることが想定される。例えば、手術ロボットシステム１は、ユーザインターフェース４０がロボットシステム１０を作動させるために連結される第１のモードと、ユーザインターフェース４０がロボットシステムを仮想的に作動させるために手術シミュレータに連結される第２のモードと、を有し得る。手術シミュレータは、スタンドアロンユニットであっても、または処理ユニット３０内に組み込まれてもよい。手術シミュレータは、ユーザインターフェース４０を介して、視覚、聴覚、力、および／または触覚フィードバックを臨床医に提供することにより、ユーザインターフェース４０とインターフェースする臨床医に仮想的に応答する。例えば、臨床医がハンドルアセンブリ２００とインターフェースするとき、手術シミュレータは、シミュレートされた手術部位の組織に仮想的に作用する代表的なツールを移動させる。
【００４３】
本開示のいくつかの実施形態が図面に示されているが、本開示は当該技術分野が許容する広い範囲として捉えられるべきであり、本明細書も同様に読み取られるべきと考えられるので、本開示はこれらの実施形態に限定されるものではないことが意図される。上記の実施形態の任意の組み合わせもまた想定され、これらは、本開示および添付の特許請求の範囲内にある。したがって、上記の説明は、限定として解釈されるべきではなく、特定の実施形態の単なる例示として解釈されるべきである。当業者は、本明細書に添付される特許請求の範囲の範囲内での他の修正を想定するであろう。
【図１】
2020521562.tif 000003
【図２】
2020521562.tif 000004
【図３】
2020521562.tif 000005
【図４】
2020521562.tif 000006
【図５】
2020521562.tif 000007
【図６】
2020521562.tif 000008
【図７】
2020521562.tif 000009
【国際調査報告】
2020521562.tif 000010
2020521562.tif 000011
2020521562.tif 000012
2020521562.tif 000013
2020521562.tif 000014
2020521562.tif 000015